(57)【要約】【目的】この発明は、美容室等で行う頭髪のヘアカラー技法においてヘアカラー発色剤の化学反応によるダイオキシンなどの化学物質での室内環境汚染や悪臭や頭皮のヒリヒリ刺激感や頭髪、頭皮の酸化損傷や身体や心の健康阻害を防止することを目的とした、全く新しい加熱しない低温ヘアカラー技法に関するものである。【構成】還元水とフィトンチッド混入液をベースとした混合液を頭髪に噴霧してレナード現象と還元作用と気化放熱作用の相乗作用を活用してヘアカラーを施行する基本技法であり、微細霧を噴霧することによる気化放熱作用で対応頭部温度を下げて、噴霧による気化放熱前の普及環境温度差により毛髪の発色反応を促進する低温ヘアカラー技法。【特許請求の範囲】
【請求項１】
還元水とフィトンチッド混入液をベースとした混合液を頭髪に噴霧してレナード現象と還元作用と気化放熱作用の相乗作用を活用してヘアカラーを施行する基本技法であり、微細霧を噴霧することによる気化放熱作用で対応頭部温度を下げて、噴霧による気化放熱前の普及環境温度差により毛髪の発色反応を促進する低温ヘアカラー技法。
【請求項２】
次の具体手順による低温パーマ技法。
（イ）ヘアカラー剤を頭髪に塗布する時から、還元水とフィトンチッドをベースとした植物エキスの混合液を粒径５ミクロン以下の霧状にして頭髪に噴霧します。
（ロ）ヘアカラー剤を頭髪に塗布後１５分〜２０分程度噴霧し、気化放熱作用で対応頭部温度を１度〜３度下げます。
（ハ）その後頭部にキャップをセットし、頭部の温度を気化放熱前の環境温度に戻します、その温度は１度〜５度程度上昇します。
（ホ）この普及温度差による自然的な体内発熱作用によりヘアカラー剤の反応による発色を促進し、且つ毛髪の損傷を再生します。
【発明の詳細な説明】
【０００１】
【発明の属する技術分野】
この発明は、美容室等で行う頭髪のヘアカラー技法においてヘアカラー発色剤の化学反応によるダイオキシンなどの化学物質での室内環境汚染や悪臭や頭皮のヒリヒリ刺激感や頭髪、頭皮の酸化損傷や身体や心の健康阻害を防止することを目的とした、全く新しい加熱しない低温ヘアカラー技法に関するものである。
【０００２】
【従来の技術】
従来のヘアカラー技法では頭髪に塗布したヘアカラー発色剤をヒーター等で加熱することにより化学反応を促進させ染色する技法であった。
具体技法の一例を述べれば、
従来のヘアカラー技法は染色時に加熱を行い対応頭部温度を３０度〜５０度まで上昇させて化学反応を促進させ基本技法であるため、熱を加えれば加えるほど化学反応が強く、頭皮のバリアーゾーンを損傷して発色薬液が浸透しヒリヒリ刺激感を与えているし、美容室内の環境を汚染し悪臭を発生していた。
【０００３】
【発明が解決しようとする課題】
従来のヘアカラー技法においては、ヘアカラー剤を加熱して化学反応を促進させているため次の課題があった。
（イ）ヘアカラー剤を加熱し化学反応を促進する技法であり、加熱により対応頭部温度を３０度〜５０度まで上げていたので頭皮の温度が上がりヘアカラー剤の合成界面活性剤が頭皮のバリアーゾーンを損傷して毛髪を染めるとき頭皮にヒリヒリの刺激感があり不快であった
（ロ）ヘアカラー発色剤にはアミン系とフェノール系の化合物が含まれており、このアミン系化合物は亜硝酸と化学反応をおこし発癌性物質の一つであるニトログリセリンになります。
（ハ）ヘアカラー発色剤に含まれるフェノールは煙草の葉等に含まれタンパク質を溶かす性質があり皮膚の中に入ると細胞膜を溶かして細胞を破壊する刺激物であるし、フェノールが他の化学物質と結合するとさらにその毒性は強くなります。
（ニ）ヘアカラー剤２液の主成分である過酸化水素は活性酸素ガスを発生させ悪臭を放ちます。
（ホ）加熱での酸化促進作用により頭髪に異常なアミノ酸を生成し毛髪の吸水性が損なわれ頭皮、毛髪の乾燥を引き起こす。
【０００４】
具体課題を総合しますと、
（イ）美容室内は化学物質による環境汚染や悪臭が酷く室内で従事する美容師や多数のお客様の健康を阻害しています。
（ロ）頭皮を染めるときヒリヒリの刺激感があり不快であるし、また頭皮、毛髪の乾燥により脱毛、フケ、痒み、抜け毛、髪の弾力性不足など異常が起きています。
（ハ）ヘアカラー剤などの化学物質は殆どが生態系内の循環の中で水に溶けない化学物質であり排出される河川や海や強いては地球環境を汚染しています。
【０００５】
【問題を解決するための手段】
その課題を解決するための技法は従来の加熱技法とは全く相反するもので、還元水とフィトンチッド混入液をベースとした混合液を頭髪に噴霧してレナード現象と還元作用と気化放熱作用の相乗作用を活用してヘアカラーを施行する低温ヘアカラー技法であり、微細霧を噴霧することによる気化放熱作用で対応頭部温度を下げてヘアカラーを施したあと、気化放熱前の元の環境温度に戻し、その温度差により毛髪の発色反応を促進する技法であり、具体方法を説明すれば、
（イ）ヘアカラーの１剤を頭髪に塗布する時から、従来の加熱ではなく、マイナスイオンの還元水とフィトンチッドをベースとした植物エキスの混合液を粒径５ミクロン以下の霧状にして頭髪に噴霧します。
（ロ）マイナスイオン噴霧液が空気中に発生しているアミン、フェノール、活性酸素ガス等の悪臭ガス分子のプラスイオンと結合し瞬時にアミノ酸に変わりヘアカラー剤は毛髪の中に浸透し毛髪を発色させ、毛髪のアミノ酸溶出はアミンがアミノ酸に変わるので溶出を防ぎます。
（ハ）ヘアカラー剤を頭髪に塗布後１５分〜２０分程度噴霧を続けるし、その時の対応頭部温度は１度〜３度下がります。
（ニ）その後キャップをセットすることで下がった頭皮の温度が元の環境温度に普及するため１度〜５度上がります。
（ホ）この温度差による自然的な体内温熱作用によりヘアカラー剤の発色を促進し、且つ毛髪の損傷を再生します。
【０００６】
【作用】
本発明の低温ヘアカラー技法の作用を述べると、
（イ）還元水とフィトンチッドをベースとした混合液を粒径５ミクロン以下の霧状にしレナード現象によるマイナスイオンが空気中に発生しているアミン、フェノール、活性酸素ガス等の悪臭ガス分子のプラスイオンと結合し瞬時にアミノ酸に変わりヘアカラー剤は頭髪の中に入り込み毛髪を発色させる作用であるし、毛髪のアミノ酸溶出はアミンがアミノ酸に変わるので溶出を防ぐ作用である。
（ロ）ヘアカラー剤を頭髪に塗布後１５分〜２０分程度噴霧を続け対応頭部温度を１度〜３度低下させ、その後キャップをセットすることで下がった頭皮の環境温度が元の温度に戻るため、１度〜５度上昇します。
（ハ）この温度差による自然的な体内発熱作用によりヘアカラー剤の発色を促進し、且つ毛髪の損傷を再生する作用である。
【０００７】
【発明の実施の形態】
具体実施例を述べる、
（イ）フィトンチッドをベースとした植物エキスは葉緑素・パントテン酸・アミノ酸・各種ビタミン・精油等を含む。
（ロ）マイナスイオンの還元水はトルマリン石などをベース素材とした溶融水である。
（ハ）フィトンチッドをベースとした植物エキスとマイナスイオンの還元水の混合液における植物エキスの割合は０．１％〜５％程度の範囲として用途に応じた濃度とする。
（ニ）粒径５ミクロン以下の超微霧の噴霧機器は超音波霧化器とする。
（ホ）還元水とフィトンチッド液をベースとした混合液と超音波霧化機器を組み合わせた構成を特微とします。
【０００８】
【発明の効果】
本発明の低温ヘアカラー技法は、従来の加熱ヘアカラー技法とは全く相反する技法であり、従来標準化されていた美容業界の理論を全く覆す逆説的技法でもあります、すなはち頭髪に熱を与えず、逆に温度を下げて毛髪を染めるためアミノ酸の溶出がなく、毛髪を傷めることなく、頭皮のヒリヒリ刺激感もなく、悪臭もなく、環境汚染もなく、ヘアカラーを可能とする技法であり、その具体効果を列記すれば、
（イ）還元水とフィトンチッドをベースとした混合液を粒径５ミクロン以下の微霧状にして噴霧することによりレナード現象によるマイナスイオンとの相乗作用によりヘアカラー毛染め剤の化学物質が発するガス分子が空気中にてアミノ酸に変化して全ての毛髪に浸透して良好な髪質を生成します。
（ロ）加熱せずに毛髪を染めるためアミノ酸の溶出による頭皮の損傷が起きず頭皮のヒリヒリ刺激感がなくなります。
（ハ）頭皮、毛髪の乾燥による脱毛、フケ、痒み、抜け毛、髪の弾力性不足などがなくなります。
（ニ）化学物質の中和分解により環境ホルモンの発生を抑えます。
【０００９】
この低温ヘアカラー技法は毛染め技法に止まらず、マイナスイオンの還元水とフィトンチッドをベースとした植物エキスの混合液を噴霧することにより森林浴効果があり、美容室内の化学物質をも分解し懸案であった悪臭なども消臭でき環境改善と美容師と多数のお客様の健康促進に有効に作用します。
【００１０】
総合しますと低温ヘアカラー技法によりヘアカラー剤の化学反応による酸化作用が還元作用となり、美容室内の化学物質を分解し悪臭を消臭し、毛染め時には頭髪の成分を損傷させず、毛髪に必要なアミノ酸を補充し、美容室内にはフィトンチッドによる森林浴効果と噴霧作用でのレナード現象によるマイナスイオンが多量に充満し健康の促進と癒し効果を成すものであり理想的な２１世紀型美容室を誕生させ、今世紀の美容業界の転換技術を成しえるものであり、強いては地球環境と人類の救世主的役割を果たすものでもあります。